(57)【特許請求の範囲】
【請求項１】
パイル部材の背面支持材料となる繊維材料で構成されるバンド部材を含む当該パイル部材のパイル用のバッキングを含み、
当該パイル部材は、前記パイルを定義する複数の繊維ループを含み、前記ループは端部を有し、前記ループは前記端部から延びる側面部を有し、前記パイルは、前記バンド部材の長手方向に沿って延びており、前記バンド部材は、前記側面部を部分的に覆うと共に前記端部を囲み、前記バンド部材と前記パイルとは、互いに超音波融着され、前記バンド部材は、前記側面部の一部分と前記端部とを含む前記パイルを囲むのに十分な幅を有し、前記側面部を実質的に直立させるように支持されることを特徴とするパイル部材供給用構造体。
【請求項２】
当該バンド部材は、融着される当該両端部と当該両側面部の一部とに一致する様に当該バンド部材の長手方向に沿って折り畳まれている事を特徴とする請求項１に記載のパイル部材供給用構造体。
【請求項３】
当該バンド部材は、超音波により熔融しうる材料により構成されている事を特徴とする請求項１に記載のパイル部材供給用構造体。
【請求項４】
当該繊維ループは、糸で構成されている事を特徴とする請求項１に記載のパイル部材供給用構造体。
【請求項５】
当該バンド部材は、ポリエステル或はポリオレフィンの何れか一つの材料で構成されている事を特徴とする請求項１に記載のパイル部材供給用構造体。
【請求項６】
当該パイル部材供給用構造体は、更に、当該ループの両端部の内側で、且つ当該ループの両側面部の一部分内で長手方向に沿って延展されている内部繊維状ストリップを含んでいる事を特徴とする請求項１に記載のパイル部材供給用構造体。
【請求項７】
当該内部繊維状ストリップは、当該ループの両端部の内側で、且つ当該ループの両側面部の一部分内に一致する様に折り畳まれている事を特徴とする請求項６に記載のパイル部材供給用構造体。
【請求項８】
当該内部繊維状ストリップは当該パイルに融着せしめられている事を特徴とする請求項６に記載のパイル部材供給用構造体。
【請求項９】
当該バンド部材は、当該バンド部材を当該パイルの一部分に完全に一致させる為に、当該バンド部材を、当該パイルの当該囲まれているパイルの一部に沿って折り畳み且つ融着させる様に形成されたキャビティーを有する超音波ホーンを使用して当該パイルに融着されている事を特徴とする請求項１に記載のパイル部材供給用構造体。
【請求項１０】
当該繊維ループは、ポリエステルからなる糸で構成されている事を特徴とする請求項  １に記載のパイル部材供給用構造体。
【請求項１１】
当該パイル部材は、少なくとも当該バンド部材を介して一つ或はそれ以上の布帛部材に逢着可能に構成されている事を特徴とする請求項１に記載のパイル部材供給用構造体。
【請求項１２】
当該パイル部材は、隙間塞ぎ部材（ｗｅａｔｈｅｒ  ｓｔｒｉｐ）を提供する為に十分に硬いループとバンド部材を有している事を特徴とする請求項１に記載のパイル部材供給用構造体。
【請求項１３】
当該パイル部材は、くり貫かれたチャネル部材内に配置可能であり、該チャネル部材が、該チャネル内に当該バンド部材を固定するための面を有することを特徴とする請求項１に記載のパイル部材供給用構造体。
【請求項１４】
当該パイルの両側面部は当該バンド部材の幅よりも長い事を特徴とする請求項１に記載のパイル部材供給用構造体。
【請求項１５】
塗装に十分適合する為のブラシを提供する為に、当該パイルの両側面部は当該バンド部材の幅よりも長い事を特徴とする請求項１に記載のパイル部材供給用構造体。
【請求項１６】
更に、当該パイル部材に取り付けられた把持部が含まれている事を特徴とする請求項１５に記載のパイル部材供給用構造体。
【請求項１７】
当該パイル部材は、柔軟性を有することを特徴とする請求項１に記載のパイル部材供給用構造体。
【請求項１８】
当該パイル部材は、十分に硬いことを特徴とする請求項１に記載のパイル部材供給用構造体。
【請求項１９】
閉鎖状の端部から延展している側面部を有する複数の糸からなるループと、
当該側面部を実質的に直立させる為に、当該側面部の十分な部分に亘って当該閉鎖状の端部の周りに配置されている繊維材料で形成されたバンド部材からなるバッキングとを含み、前記バンド部材が、当該閉鎖状の端部と当該側面部の一部分に融着せしめられていることを特徴とするパイル部材。
【請求項２０】
当該バンド部材は、当該閉鎖状の端部と当該ループの両側面部の一部分とに超音波融着せしめられていることを特徴とする請求項１９に記載のパイル部材。
【請求項２１】
当該ループの両端部の内側で、当該ループの両側面部の一部内で、長手方向に沿って延展されている内部繊維状ストリップを含んでいることを特徴とする請求項１９に記載のパイル部材。
【請求項２２】
当該パイル部材は、柔軟性を有することを特徴とする請求項１９に記載のパイル部材。
【請求項２３】
当該パイル部材は、十分に硬いことを特徴とする請求項１９に記載のパイル部材。
【発明の詳細な説明】
【技術分野】
【０００１】
本発明はパイル部材に関するものであり、特に詳しくは、繊維布帛補強パイル部材に関するものである。
【０００２】
本発明は、ペイントに適用されるブラシ或は隙間塞ぎ部材として使用される事が可能な柔軟性をもつパイル部材を提供するのに有用なものである。
【背景技術】
【０００３】
パイル部材は、従来から米国特許第４１４８９５３号、第４３０２４９４号、第６２５２７５７号、第５４７２７６２号、及び国際特許出願公開番号ＷＯ９６／０６９６５号等の明細書中に示されている様に、繊維を移動バンド部或は移動マンドレルに巻き付ける事によって組み立てられて来た。そして、当該形成されたループに例えば、基布、細幅のストリップ或はストランド（糸類）等の補強部材を当該繊維ループに沿った部位に取り付ける。
【０００４】
そして、当該繊維ループをスリットするか切断する事により、複数個のパイル部材が供給され、それぞれのパイル部材には、一つの補強部材（ｂａｃｋｉｎｇ  ｓｔｒｕｃｔｕｒｅ）が接合されている。
【０００５】
典型的には、当該補強部材の取り付けは、超音波融着、加圧接着、或は接着剤の使用或はそれらの組み合わせによって行われる。
【０００６】
当該隙間塞ぎ部材のためのパイル部材に於いて使用されるバッキング部材は、米国特許第特許第４１４８９５３号、第４２４２３２９２号、第４３０２４９４号等の明細書中に開示されている様に、ポリプロピレンの様なプラスチック材料からなる硬いストリップ（細幅状帯状物）で作られて来ている。
【０００７】
従って、この様なバッキング部材は、柔軟性に制約があり、叉高温度の環境に対しては熔融点温度が低すぎる。
【０００８】
更に、当該プラスチックからなるバッキング部材を持ったパイル部材は、当該パイル部材を織物材料等に対して逢着或はスティッチすることを要求する分野への適用は全く有用ではない。
【０００９】
従って、当該パイル部材の柔軟性を改善する事が出来且つ高温の融点を持つ様な繊維材料で構成されたバッキング部材を提供する事は望ましいことである。
【００１０】
当該パイル部材は、米国特許第３００２２５３号、第３１７５２５６号等の明細書、及び再発行米国特許第３１４０３号明細書等に開示されている様に、繊維状のバッキング部材或はストリップを使用して開発されてきている。
【００１１】
然しながら，これらのバッキング部材は、当該パイルを実質的に直立状に維持する為に、繊維状のバッキング部材を当該パイルの端部と両側の側面部の一部に一致させる事によって改良された柔軟性を提供するような方法でパイルに取り付けられていない。
【発明の開示】
【発明が解決しようとする課題】
【００１２】
従って、本発明に於ける主たる目的は、プラスチック製のバッキング部材を使用した従来のパイル部材の欠点を改良して、繊維からなるバンド部材を使用して柔軟性を向上させたパイル部材を提供するものである。
【００１３】
本発明に於ける他の目的は、当該パイルを実質的に直立状に維持する為に、当該端部と当該各端部から延展されるパイルの両側面部の一部に一致させる様に、超音波的に融着された柔軟性を持つ繊維状のバンド部材を持つパイル部材を提供するものである。
【課題を解決するための手段】
【００１４】
要約するならば、本発明を具体化する当該パイル部材は、繊維材料からなるバンド部材と当該バンド部材の長手方向に沿って延展しているパイルを定義する閉鎖状の端部から延展している両側面部を有する繊維状のループとを有している。
【００１５】
当該バンド部材は、当該パイルを実質的に直立状に維持する為に、当該ループの端部と当該ループの両側面部の一部を含む当該パイルの一部を包含する様に十分な幅を有しており且つ当該パイルに超音波的に融着している。
【００１６】
当該繊維材料からなるバンド部材は、当該バンド部材を上記した閉鎖状の端部及び当該パイルの側面部に完全に一致させる為に、当該バンド部材を、当該パイルの当該閉鎖状の端部の周りに及び当該パイルの側面部に沿って折り畳み且つ融着させる様に形成されたキャビティーを有する超音波ホーンを使用して当該パイルに融着されている様に構成しても良い。
【００１７】
任意的には、当該両端部の内側で、且つ当該パイル側面の一部の範囲内で、当該パイルのループ内での長手方向に沿って延展している繊維状内部ストリップが設けられても良い。
【００１８】
本発明のブラシへの応用に際しては、ペイントを供給する為に十分なブラシを提供する為に、当該パイルの側面部は、当該パイルの側面部に沿って配置されている当該バンド部材の延展長さよりも長く構成されていても良い。
【００１９】
布帛類に応用する場合には、当該バンド部材は、当該パイル部材がひとつ或は一つ以上の布帛部材に逢着せしめられる事を可能にするための当該パイル用の支持部材を提供する。
【００２０】
叉、隙間塞ぎ部材への応用に際しては、当該パイルと当該バンド部材は当該隙間塞ぎ部材を提供する為に十分な硬性を有する材料であっても良い。
【００２１】
二つの当該パイル部材を組み合わせる方法が、移動式マンドレルに沿って提供される。
【００２２】
１つ或は一つ以上の繊維糸状が２つの対向する端部を持ち、当該それぞれの端部は、当該マンドレルの２つの対向した端部の一つと隣接しており、且つ当該対向している両端部間に延展している両側面部を有する連続した繊維状ループを形成する為に、移動しているマンドレルの周りに巻き付けられる。
【００２３】
次いで、当該移動しているマンドレルに沿った当該繊維状ループの両端部の一つと、及び当該両端部から延展している両側面部の少なくとも一部とに完全に一致する様に繊維材料からなるバンド部材が供給され、折り畳まれ、そして超音波的に融着せしめられる。
【００２４】
次いで、当該移動しているマンドレルに沿った当該繊維状ループの他の端部と、及び当該両端部から延展している両側面部の少なくとも一部とに完全に一致する様に別の繊維状のバッキング部材が供給され、折り畳まれ、そして超音波的に融着せしめられる。
【００２５】
当該繊維状のループは、当該移動しているマンドレルの上面及び下面に沿ってスリットされ、それによって、それぞれが、当該両側面部を実質的に直立状に維持する為に、当該繊維状のループの側面に融着させた時に、十分な幅を有する繊維からなるバンド部材を持っている２つの長手方向に延展したパイル部材構造体を提供する。
【００２６】
当該繊維糸条を巻き付けるのに先立って、２つの内部ストリップ部材が当該マンドレルに任意的に供給されるもので有っても良い。その場合、それぞれの当該内部ストリップ部材は、当該マンドレルの２つの対向する端部の異なる端部のそれぞれに、その長手方向に沿って供給され、それによって当該糸条は当該内部ストリップ部材の上に巻き付けられる。
【００２７】
此処に於ける繊維と言う用語は、織物のように当該繊維糸条が使用される如何なる織物或は布帛材料を意味するものである。
【発明を実施するための最良の形態】
【００２８】
上記した本発明に於ける特徴及び効果は添付されている図面を参照しながら以下の説明を理解する事によってより明らかになる。
【００２９】
即ち、本発明を具体化したパイル部材の構成は、図１乃至図６から理解される。
【００３０】
当該パイル部材を形成する為の方法は、米国特許第４１４８９５３号、同第４３０２４９４号及び同５３３８８８２号等の明細書に記載されている隙間塞ぎ部材の為の形成方法に類似している。
【００３１】
装置８は、２つのパイル部材が同時に形成される事を可能にしている。
【００３２】
一つのマンドレル（或は金属バンド）１２が、図１に於ける矢印１１によって示されている様に、左から右の方向に連続的に駆動されている。
【００３３】
パイル部材を形成するに際しての当該マンドレルの使用に関する更なる情報のために、此処に参照文献として組み込まれている米国特許第４３０２４９４号明細書を参照する。
【００３４】
米国特許第４１４８９５３号明細書に開示されている様に、任意的なストリッパーワイヤ１３が当該マンドレル１２のそれぞれ反対側の面１２ａと１２ｂとの表面に沿って、且つ当該マンドレル１２の中心からずれた位置に設けられていても良い。
【００３５】
２つの任意的な内部繊維状ストリップ１６が当該パイル部材の一部として供給される場合には、任意的に、当該マンドレルが通過する形成ヘッド（ｆｏｒｍｉｎｇ  ｈｅａｄ）１４が設けられる。
【００３６】
当該形成ヘッド１４が使用される場合には、当該２つの内部繊維状ストリップ１６は、当該形成ヘッド１４の内部に供給され、そして当該形成ヘッド１４によって、当該マンドレルの相対向する両端部１２ｃと１２ｄのそれぞれの周りに巻きつけられる。
【００３７】
当該内部繊維状ストリップ１６は、ポリエステル或は他の布帛材料から構成されているもので有っても良い。
【００３８】
当該それぞれの内部ストリップ１６の幅は、当該マンドレルがその長手方向に移動するに際して、当該形成ヘッド１４が当該内部ストリップ１６を当該マンドレル１２の端部の周りに折り畳む事が出来るように十分なものであれば良く、それによって、当該内部ストリップの一部が当該マンドレル１２の上面１２ａと下面１２ｂの上に伸びている。
【００３９】
当該マンドレルの上面及び下面上に沿って延展されている当該内部ストリップのそれぞれの長さは、等しくても良くまた等しくなくとも良い。
【００４０】
例えば、当該マンドレル１２の幅が３．５ｃｍである場合、それぞれの当該内部ストリップ１６の幅は、約０．６ｃｍであり、そして、当該内部ストリップの幅の約１／４は、当該マンドレルの上面上に折り畳まれ、当該幅の残りの３／４は、個々の端部１２ｃと１２ｄの一つを廻って、当該マンドレルの下面に折り畳まれる。
【００４１】
次に、ポリエステルモノフィラメントの様な糸１８の形をした繊維が、当該マンドレル１２の周りに巻き付けられパイル１９を規定するループを形成する。（当該糸１８は、若し当該マンドレルのそれぞれの端部１２ｃと１２ｄに２つの内部ストリップ部１６が設けられている場合には、その上に巻き付けられる。）
一本或は複数本の当該撚られている糸１８が、当該装置８を介して移動する時に、巻き付けられる。
【００４２】
組み付けヘッド（ｗｅａｖｉｎｇ  ｈｅａｄ）２０が当該糸１８を回転させ巻き付かせる。その様な組み付けヘッド２０の一つが図示されている。当該撚り糸のそれぞれに対して別々の当該組み付けヘッドが設けられることが好ましい。
【００４３】
取り付けられている当該パイル１９の密度は、巻き付けられる当該撚り糸の数の関数である。
【００４４】
ポリエステル繊維が好ましいけれども、他の繊維例えば、ポリプロピレン繊維も少し好ましさの程度は低いが使用可能である。
【００４５】
上記の様にして得られたパイル１９は、当該マンドレル１２の端部１２ｃと１２ｄに沿って個別に形成されている閉鎖状ループ２２ａと２２ｂを有する、当該マンドレル１２の周りに巻き付けられている糸１８の連続したループを有しており、そして２つのパイル側面部２２ｃは、当該マンドレル１２の上面と下面１２ａと１２ｂに沿って個別に両端閉鎖状ループ２２ａと２２ｂの間に延展せしめられている。
【００４６】
更に、当該マンドレル１２の移動に伴なって柔軟性の繊維状バンド部材（或はバッキング部材）２４が当該バンド部材が巻かれているリール（図示していない）から引き出されて当該マンドレル１２のエッジ部１２ｄ（つまり、閉鎖状ループ端部２２ｂ）に沿ったパイル１９に隣接するホイール２６に供給される。
【００４７】
当該バンド部材２４は、当該マンドレル１２の端部よりも幅広く構成されており、それによって、当該バンド部材２４は、当該閉鎖状ループの端部２２ｂから延長されているパイル１９の２つの側面部２２ｃのそれぞれの少なくとも一部の周りに折り畳まれる事が可能である。
【００４８】
当該ホイール２６は、当該バンド部材２４を案内する外縁部に沿って平坦なチャネル２７を有している。
【００４９】
当該ホイール２６は、当該マンドレル１２の移動につれて回転し、当該マンドレルエッジ１２ｄが当該チャネル２７内に延展するに従って（図４参照）、当該バンド部材２４を糸１８に適応させる。
【００５０】
当該バンド部材２４は、ポリエステルの様な繊維材料で作られており、それは、超音波によって熔融せしめられ或は当該糸に融着せしめられる。
【００５１】
若し、内部ストリップ１６が存在する場合には、当該内部ストリップ１６も当該バンド部材２４の材料と同じ材料で作られるもので有ってもよい。
【００５２】
次に、超音波ヘッド（或はホーン）２８が設けられており、当該超音波ヘッド２８は、前部３０と側面開口端部２８ａと２８ｂを有する長手方向の空間部であるキャビティー３２、及び当該前部に設けられた長手方向開口部３３を有している。
【００５３】
当該長手方向開口部３３は、それを介して、当該側面部２２ｃの一部と当該パイル１９の閉鎖状ループ端部２２ｂとそれに隣接しているマンドレル１２の一部が受け入れられ、それによって、当該閉鎖状ループ端部２２ｂとこれに隣接しているバンド部材２４とを当該キャビティー３２の長手方向に伸びた底部が平坦なチャネル部３６内に位置決めする。（図３、図３Ａ及び図３Ｂ）
当該前部の長手方向開口部３３は、２つの長手方向に伸びた突出棚部３５ａに沿った案内縁部３５に繋がる内側に傾斜した側面３４を有するもので有っても良い。
【００５４】
当該チャネル３６は、底部面３６ａと２つの上方向に延展している側壁部３７を有している。
【００５５】
説明の為に、当該マンドレル１２とパイル１９を除いて、当該ヘッド２８の当該キャビティー３２が図３Ｂに示されている。
【００５６】
当該キャビティー３２内の当該２つのチャネル壁３７から延びている２つの対向する角度付けされた側面部２９が設けられており、当該側面部２９は、当該突出棚部３５ａに到るまで相互に離れる様に角度付けされている。
【００５７】
当該キャビティー３２内では、当該底部面３６ａに沿っている当該バンド部材２４は、２つの側面部２４ａを有しており、当該それぞれの側面部２４ａは、当該側壁部３７の一つに沿って上方に向けて当該案内縁部３５に到る様に延展されており、当該側壁部３７は、当該バンド部材２４の両側面部２４ａを当該閉鎖状のループ端部２２ｂを囲み、当該パイル側面部２２ｃに沿って折り畳む。
【００５８】
図３に示す様に、叉更に詳細が図３Ａに示されている様に、当該チャネル３６内の当該バンド部材２４の部分は（つまりチャネル底部面３６ａと側壁部３７に沿って）パイル１９に融着されており、従って当該バンド部材２４は、当該パイル１９の閉鎖状ループ端部２２ｂとそれらの両端部から延展している両パイル側面部２２ｃの一部とに一致している。
【００５９】
当該キャビティー３２を出た後は、当該チャネル３６から当該案内縁部３５に向けて延展せしめられている当該側面部２４ａの部分は、当該バンド部材を折り畳む事により叉それをパイル１９に融着する事により当該パイル側面部２２ｃに近接して保持される。
【００６０】
更に、当該バンド部材２４は十分な幅を有しているので、当該パイル側面部２２ｃはそれらが当該マンドレル１２から分離された場合でも実質的に垂直な状態に維持される。
【００６１】
当該バンド部材２４は当該２つのパイル側面部２２ｃに沿って均等に或は不均等に延展していてもよい。
【００６２】
例えば、パイル１９に融着された当該バンド部材２４は、０．７ｃｍの幅を有していて、一方の当該側面部２２ｃに沿って０．３ｃｍ上方に閉鎖状ループ端部２２ｃから延展されており、叉他方の側面部２２ｃに沿って０．２ｃｍ上方に延展されており、且つ当該バンド部材の残りの０．２ｃｍは、当該閉鎖状のループ端部２２ｂに於いて当該パイル１９の端部に沿って延展している。
【００６３】
若し、内部ストリップ１６が使用されている場合には、当該内部ストリップ１６が当該チャネル３６に於いて同様にパイル１９に融着されており、それによって当該閉鎖状ループ端部２２ｂ内で当該部ストリップ１６を当該糸条１８内に保持する。
【００６４】
上記したキャビティー３２に関して説明されている当該超音波ヘッド２８の長手方向の内部形状は、当該超音波ヘッド２８を介して一方の開口端部２８ａから他方の開口端部２８ｂに延展されている。
【００６５】
説明の目的の為に図３Ｂは側面開口端部２８ｂのみでの当該キャビティー３２の内部形状を示している。
【００６６】
図１に示されている様に、ホイール２６から離れる時の当該バンド部材２４は実質的に平坦であるが、当該ホイール２６と当該超音波ヘッド２８との間（符号２３で示されている部分）では、当該バンド部材２４は当該超音波ヘッド２８により当該バンド部材２４がパイル１９の周りに折り畳まれために、矢印１１の方向に沿ってパイル１９の周りで、局率が増加していく様なＵ字型の形状を呈している。
【００６７】
当該マンドレル１２の他の縁部１２ｃに沿って、第２のホイール２６によって他のバンド部材２４がパイル１９の糸条１８に供給され、そして第２の超音波ヘッド２８が当該バンド部材２４を受入れ、そして当該バンド部材２４を上記（図５）で説明したと同様に、当該閉鎖状ループ端部２２ａと当該端部から延展している当該パイル側面部２２ｃに於いて、当該パイル１９に融着する。
【００６８】
２つの超音波ヘッド２８は、好ましくは、当該マンドレル１２の長さ方向通路に沿って、相互にずらせて配置されているものである。
【００６９】
図４は、第１のホイール２６が当該マンドレルの端部１２ｄに沿って作動するのと同様に、当該マンドレルの端部１２ｃに沿ってパイル１９に当該バンド部材２４を供給する第２のホイール２６とチャネル２７を示している。
【００７０】
融着後、当該マンドレル１２は、上面と下面１２ａと１２ｂのそれぞれに沿ってパイル１９を形成する繊維ループを切断する２つのスリッター３８の間に供給され、それによってそれぞれが閉鎖状ループ端部２２ａと２２ｂから形成されている開放端部を持つ繊維ループを提供する（図６）。
【００７１】
スプリッタワイヤ１３が若し使用されるならば、当該ストリッパーワイヤ１３は糸条を当該マンドレル１２から持ち上げそれによって、当該スリットホイール３８を鈍くしてしまう恐れのあるマンドレル１２と接触するスリットホイール３８が無くても当該糸条を切断できる。
【００７２】
スリット処理後、２つの一体化されたパイル部材構造物が供給され、それぞれは、個別に閉鎖状ループ端部２２ｃ或は２２ｄの周りで、当該パイル１９に融着されたバンド部材２４を有しており、且つそれぞれがパイル側面部２２ｃの一部を有し叉個々に開放されたループ端部２２ｃ或は２２ｄを有している。
【００７３】
図７に示す様に、任意的な内部ストリップ１６を含む完成されたパイル部材１０は、当該バンド部材２４と、当該糸条１８により形成された２列のパイル１９と内部ストリップ１６とで構成されており、当該バンド部材２４は当該パイル１９の長手方向い沿って融着され、当該パイルの閉鎖状のループ端部と一致せしめられており、且つ少なくとも当該あいる側面部２２ｃの一部に沿って、当該パイルを当該閉鎖状のループ端部から離れる方向で実質的に垂直に維持する。
【００７４】
当該内部ストリップ１６は、当該パイル部材１０の当該閉鎖状ループ端部内に於いて及び当該端部から延展している当該パイル側面部２２c内で、当該パイル１９の内部と完全に一致せしめられていても良い。
【００７５】
それぞれのパイル部材１０は連続状で供給され、柔軟性を持っている。
【００７６】
繊維ループが切断されるので、当該パイル部材はリール上に巻かれても良い。
【００７７】
当該パイル部材１０は、図８に示す様に布帛に逢着されるものであっても良い。
【００７８】
一つ或はそれ以上の縫い目５０が当該パイル部材１０に沿って当該バンド部材２４（若し内部ストリップ１６が使用される場合には、当該内部ストリップも）を介して適用され、それによって当該パイル部材を一つ或はそれ以上の布帛部材４８に逢着させる。当該布帛部材４８は、一つの布帛からなる同じ布帛片の両端部で有っても良く、或は、室内装飾用材料の様に、２つの別々の布帛片の両端部で有っても良い。
【００７９】
当該パイル部材１０は、図９に示す様に、ブラシ５２として使用する事も可能であり、その場合、当該パイル側面部２２ｃの長さは、当該パイル側面部２２ｃに沿ったバンド部材２４よりも長い。
【００８０】
当該パイル部材１０は、ブラシ５２の望ましい幅に応じて長手方向の幅を持つように切断され、叉次いで例えば接着剤によってペンキ塗布具（或はハンドル）５３の端部に取り付けられる。
【００８１】
当該ペンキ塗布具５３の端部５３ａは、当該パイル部材１０のバンド部材２４がその中に受け入れられる様なチャネル（図示せず）を有していても良い。
【００８２】
従って、多種のサイズからなるブラシが当該パイル部材１０を使用して作られる事になり、且つ適切なサイズの塗布具５３に対して適用可能である。
【００８３】
当該パイル部材１０は、当該パイル１９の糸条１８及びストリップ１６の一方若しくは双方が十分に硬性を持つ場合には、隙間塞ぎ部材として使用する事も出来る。
【００８４】
例えば、窓或は扉の枠部（ｆｒａｍｅ）のような閉鎖部材（ｃｌｏｓｕｒｅ  ｍｅｍｂｅｒ）内に当該パイル部材が配置された場合に、一般的な隙間塞ぎ部材と同様に当該糸条１８は当該枠部と当該枠部に隣接されている他の締め切り部材との間の空間を縮めるか、及び／または、当該枠部と他の締め切り部材との間を満たす。
【００８５】
当該バンド部材２４と糸条１８がポリエステル材料で構成されている場合、プラスチックバッキング構造、例えばストリップ等を有し、低融点温度を持つ従来の隙間塞ぎ部材よりも高い温度に於いて使用するのに適した高度に柔軟性のある隙間塞ぎ部材が提供される。
【００８６】
当該隙間塞ぎ部材として使用されるパイル部材１０の具体例は図１０に示されている。
【００８７】
図示されている締め切り部材５４に於いては、当該パイル部材１０は、バンド部材側面部２４ａの長手方向端部（或は両端部）５８に沿って当該バンド部材２４を捕捉する為のくり貫き部分である、チャネル５５内に挿入されており、それによって、当該パイル部材１０をチャネル表面５６に沿って当該チャネル内に固定しそしてパイル１９が当該チャネル開口部５９を介して延展する事を可能とする。
【００８８】
当該パイル部材が当該チャネル開口部５９を介してその中に挿入される際には、２つのパンド部材側面部２４ａ間にある当該バンド部材２４とパイル１９は圧縮される事が必要であり、つまり当該バンド部材２４がチャネル５５内に配置されている時には、その膨張が、当該チャネル表面５６に沿って、当該チャネル内に当該バンド部材側面部２４ａを捕捉する。
【００８９】
上記した説明から、改良された柔軟性を持つパイル部材が提供されることが明かである。
【００９０】
ここで説明されたパイル部材及び当該パイル部材の製造方法に関する変形態様や修正態様は、明らかにそれ自身当業者に示唆されている。
【００９１】
従って、上記説明は説明的なものとして捉えられるべきであり、限定的な意味として捉えるべきではない。
【図面の簡単な説明】
【００９２】
【図１】図１は、本発明の具体例であるパイル部材を形成する為の装置を示す概略斜視図である。
【図２】図２は、図１の平面図である。
【図３】図３は、図１に示す装置の断面図であり、図２のＡ−Ａ線に沿って見た断面図である。
【図３Ａ】図３Ａは、図１の超音波融着装置を示す図３のより詳細な部分拡大図である。
【図３Ｂ】図３Ｂは、図１に示す超音波融着装置に於ける、マンドレルとパイルを取り除いた部分的正面斜視図である。
【図４】図４は、図１に示す装置の断面図であり、図２のＢ−Ｂ線に沿って見た断面図である。
【図５】図５は、図１に示す装置の断面図であり、図２のＣ−Ｃ線に沿って見た断面図である。
【図６】図６は、図１に示す装置の断面図であり、図２のＤ−Ｄ線に沿って見た断面図である。
【図７】図７は、本発明に於ける具体例である完成されたパイル部材の部分的構成を示す斜視図である。
【図８】図８は、織物に逢着された本発明の具体例に係るパイル部材を示す断片的な斜視図である。
【図９】図９は、ブラシ用の本発明の具体例に係るパイル部材を示す断片的な図である。
【図１０】図１０は、隙間塞ぎ部材として使用されているパイル部材を示す断片的な断面図である。
【符号の説明】
【００９３】
１０    パイル部材
１１    矢印（マンドレルの進行方向）
１２    マンドレル
１３    ストリッパーワイヤ
１４    形成ヘッド
１６    内部ストリップ
１８    糸条
１９    パイル
２０    組み付けヘッド
２２    パイル側面部
２４    バンド部材
２６    ホイール
２７    チャネル
２８    超音波ヘッド
３２    キャビティー
３６    チャネル部
３８    スリッター
【図１】
0004954474.tif 000002
【図２】
0004954474.tif 000003
【図３】
0004954474.tif 000004
【図３Ａ】
0004954474.tif 000005
【図３Ｂ】
0004954474.tif 000006
【図４】
0004954474.tif 000007
【図５】
0004954474.tif 000008
【図６】
0004954474.tif 000009
【図７】
0004954474.tif 000010
【図８】
0004954474.tif 000011
【図９】
0004954474.tif 000012
【図１０】
0004954474.tif 000013